(57)【要約】【課題】   主に、水を扱う場で用いられる収納ラックであって、容器や収納棚の底面、およびそれらの接地面に、水垢や汚れが付着したり、カビが発生することを防止する。さらに、収納ラックの設置スペースを不要とし、省スペース化を達成する。また、重みのある収納ラックであっても、落下する危険がなく安全に使用される収納ラックを提供することを目的とするものである。【解決手段】  収納ラックであって、容器を収納する収納部と、吊り下げ部に前記収納部を吊り下げる吊り下げ部材と、を有することを特徴とする収納ラックである。【選択図】  図１
0003171851.tif 000002
【実用新案登録請求の範囲】
【請求項１】
収納ラックであって、
ワイヤ材で構成され、容器を収納する収納部と、
吊り下げ部に前記収納部を吊り下げる吊り下げ部材と、
を有することを特徴とする収納ラック。
【請求項２】
前記収納部の底部には、床面に載置した際に床面と前記収納部の底部とを離すことが可能な脚部が設けられることを特徴とする請求項１に記載の収納ラック。 
【請求項３】
前記吊り下げ部材は、折り畳み可能であり、
前記吊り下げ部材の折り畳み部よりも上方の長さは、前記吊り下げ部材の折り畳み部から収納ラックの最下部までの長さよりも短いことを特徴とする請求項１または請求項２に記載の収納ラック。
【請求項４】
前記収納部の側面にフックを有することを特徴とする請求項１から請求項３のいずれかに記載の収納ラック。
【請求項５】
前記収納部の前記ワイヤ材の一部にスライド部が形成され、前記スライド部では互いに連結する前記ワイヤ材同士が摺動可能であり、前記ワイヤ材を一方向に摺動させることで、前記収納部の大きさを、少なくとも前記収納部の幅方向に調整可能であることを特徴とする請求項１から請求項４のいずれかに記載の収納ラック。
【考案の詳細な説明】
【技術分野】
【０００１】
本考案は、収納ラックであって、主に、水を扱う場で用いられる収納ラックに関するものである。
【背景技術】
【０００２】
従来、水を扱う場で用いられる容器は、その底面や接地面側に水や汚れが溜まりやすい。例えば、浴室で使用されるシャンプー等の容器は、直接床に置かれるか、または、床に設置もしくは予め備え付けられた収納棚に置かれていた。
【０００３】
この場合、収納棚や容器の底面、または床に、水垢や汚れが付着してカビ発生の原因となっていた。また、床の一部に、容器や収納棚の設置スペースを必要としていた。
【０００４】
これらの課題に対して、実用新案登録第３１１９６４９号や特開平１０−８９３４１号では、浴室壁面に吸着する吸盤に容器や収納棚の保持部材を取り付け、容器や収納棚を床面から離して保持するものが提案されている。
【先行技術文献】
【特許文献】
【０００５】
【特許文献１】実用新案登録第３１１９６４９号公報
【特許文献２】特開平１０−８９３４１号公報
【考案の概要】
【考案が解決しようとする課題】
【０００６】
上記技術では、浴室床面や容器底面を清潔に保てるとともに、床面に対し、容器や収納棚の設置スペースは不要となり、省スペース化も達成できる。しかしながら、重みのある容器や収納棚を吸盤で浴室壁面に保持するため、耐久性に乏しい。また、吸盤が容器や収納棚の重みに耐えきれずに、吸盤ごと容器や収納棚が落下する危険がある。さらに、これらは、浴室で使用される技術であって、吸盤に対する被吸着面が必要となり、浴室以外の水を扱う場での汎用性に欠ける。
【０００７】
本考案は、このような問題に鑑みてなされたもので、収納ラックであって、主に水を扱う場での水垢や汚れの付着やカビ発生の防止、省スペース化、さらに安全に使用される収納ラックを提供することを目的とするものである。
【課題を解決するための手段】
【０００８】
前述した目的を達成するために、本考案は、収納ラックであって、容器を収納する収納ラックと、吊り下げ部に前記収納部を吊り下げる吊り下げ部材とを有することを特徴とするものである。
【０００９】
本考案の収納ラックによれば、容器が収納部に収納され、吊り下げ部材により収納部が吊り下げ部に吊り下げられる。すなわち、収納ラック自体が、吊り下げ部に吊り下げられる。このため、容器や収納ラックの収納部の底面とそれらの接地面側との間に、十分な空隙が形成される。従って、主に水を扱う場で使用される場合に、水垢や汚れの付着やカビの発生を防止することができ、清潔に保てる。また、収納ラック自体が吊り下げ部材により吊り下げられるため、床面に対して収納ラックの設置スペースが不要であり、省スペース化を達成できる。
【００１０】
また、収納ラックは吊り下げ部に吊り下げられるため、収納ラックを保持するにあたり、耐久性に優れる。このため、収納ラックが落下する危険がなく、安全に使用することができる。
【００１１】
さらに、本考案であれば、吊り下げ部のある場であれば、浴室のような壁面がなくとも、水を扱う様々な場で使用することができる。
【００１２】
また、前記収納ラックの前記収納部底部には、床面に載置した際に、床面と前記収納部の底部とを離すことが可能な脚部が設けられてもよい。
【００１３】
この場合、収納ラックを床面に載置した際にも、床面と収納ラック底面とに空隙が形成される。このため、主に水を扱う場で使用される場合に、水垢や汚れの付着やカビの発生を防止することができ、清潔に保てる。
【００１４】
また、前記収納ラックの前記吊り下げ部材は、折り畳み可能であって、前記吊り下げ部材の折り畳み部よりも上方の長さは、前記吊り下げ部材の折り畳み部から収納ラックの最下部までの長さよりも短くするようにしても良い。
【００１５】
このように構成することで、収納ラックを吊り下げ部材を使用して吊り下げ部に吊り下げることなく床面に載置した際には、吊り下げ部材は不要であり、折り畳むことができる。従って、収納ラックをコンパクトに床面に載置することができる。さらに、人が吊り下げ部材に引っ掛かることがなく安全である。
【００１６】
また、前記収納ラックは、前記収納部側面にフックを有しても良い。
【００１７】
この場合、前記収納部側面のフックへも備品を吊り下げ可能である。従って、複数の備品を収納ラックにまとめて収納することができ、清潔に保てる。
【００１８】
また、  前記収納部の前記ワイヤ材の一部にスライド部が形成され、前記スライド部では互いに連結する前記ワイヤ材同士が摺動可能であり、前記ワイヤ材を一方向に摺動させることで、前記収納部を、少なくとも前記収納部の幅方向に調整可能としてもよい。
【００１９】
この場合、ワイヤ材の一部とは、収納部全体が摺動可能なように、摺動方向に配置される全てのワイヤ材の一部である。また、調整可能とされる収納部の幅の定義としては、収納部の平面視において、縦方向または横方向のいずれも幅方向とする、すなわち、「幅を調整可能」とは、収納部の平面視における縦長さまたは横長さのすくなくとも一方の長さを調整可能であることをいう。このように構成することで、収納部に収納すべき容器の増減に対応して、容器を収納することができる。
【考案の効果】
【００２０】
本考案によれば、収納ラックであって、主に水を扱う様々な場での、水垢や汚れの付着やカビの発生の防止、省スペース化、さらに安全に使用される収納ラックを提供することができる。
【図面の簡単な説明】
【００２１】
【図１】収納ラック１の全体構成図
【図２】収納ラック１の正面図
【図３】収納ラック１の使用例を示す図
【図４】収納ラック１の他の使用例を示す図
【図５】収納ラック３１の第２の実施形態を示す図
【図６】収納ラック１の他の使用例を示す図
【考案を実施するための形態】
【００２２】
以下、図面を参照にしながら、本考案の実施形態について説明する。図１は収納ラック１の全体構成図であり、図２は収納ラック１の正面図である。
【００２３】
はじめに、図１、図２を用いて、収納ラック１の全体構成について説明する。収納ラック１は、容器を収納する収納部７と、収納部７を吊り下げるための吊り下げ部材３ａ、３ｂと、吊り下げ部材３ａ、３ｂを収納部７に折り畳み可能に接続させるヒンジ部５ａ、５ｂと、収納部７に設けられたサイドフック９と、脚１１ａ〜１１ｄとにより構成されている。
【００２４】
収納部７側面は、複数のワイヤ部材を所定の間隔を有して接合され、枠状に形成されている。これは、収納ラック１が、主に水を扱う場での使用を想定しており、収納部７内部の通気性および通水性を良好に保つことで、カビの発生を防止するためである。また、このような形状であれば、収納部７側面から収納部７内部を視認することができる。
【００２５】
また、収納部７底面は、側面同様に複数のワイヤ部材により形成され、その形状は網目状であって、互いの隙間を小さく形成されている。このため、収納部７底面も通水性および通気性を良好に保つことができ、カビの発生を防止することができる。また、このような形状であれば、収納部７に収納される備品が落下する恐れがない。
【００２６】
吊り下げ部材３ａ、３ｂは、収納部７同様にワイヤ部材により形成されている。吊り下げ部材３ａ、３ｂの形状は、収納部７を吊り下げることができるように、その先端部がフック状に形成されている。一方、他端は、ヒンジ部５ａ、５ｂにより収納部７に接続されている。このヒンジ部５ａ、５ｂは、収納部７の内外面に対し回転可能に嵌合されており、これにより、吊り下げ部材３ａ、３ｂは収納部７の内外に折り畳み可能である。さらに、吊り下げ部材３ａ、３ｂの長さは、吊り下げ部材３ａ、３ｂが折り畳まれたときに邪魔にならないよう、脚１１ａ〜１１ｄを含めた収納部７の高さより短くなるよう形成されている。
【００２７】
このように、吊り下げ部材３ａ、３ｂを収納部７の内外に折り畳み可能とすることで、吊り下げ部材３ａ、３ｂが不要な場合には折り畳まれてコンパクトとなる。また、人が吊り下げ部材３ａ、３ｂに引っ掛かることがなく安全である。なお、吊り下げ部材のフック部には、滑り止めのゴム等を配置してもよい。なお、滑り止めは、吸水性を有さない部材であることが望ましい。
【００２８】
また、収納部７の側面には必要に応じてサイドフック９が設けられている。サイドフック９も収納部７同様にワイヤ部材により形成されている。このサイドフック９へも備品を吊り下げることができるので、複数の備品を収納ラック１へまとめて収納でき、より清潔に保つことができる。
【００２９】
また、収納部７底面の脚１１ａ〜１１ｄも、上述した他の箇所と同様の部材により形成されている。脚１１ａ〜１１ｄは、収納ラック１を床面に載置した際に、床面と収納部７とを離す効果を奏する。このため、床面と収納ラック１底面とに空隙が形成される。したがって、主に水を扱う場で使用される場合に、水垢や汚れの付着やカビの発生を防止することができ、清潔に保つことができる。
【００３０】
さらに、脚１１ａ〜１１ｄの先端、すなわち床面との設置部分には滑り止めが設けられている。このため、収納ラック１を床面に載置した際に、収納ラック１の転倒を防止でき、安全に使用することができる。
【００３１】
以上、説明した収納ラック１全体をワイヤ部材により形成することとした。このワイヤ部材の材質としては、主に水を扱う場で使用されることを想定し、ステンレスなど耐食性、耐久性に富んだものが良い。また、耐食性、耐久性に富む材料を部材の表面に表面処理を施したり、塗装してもよい。あるいは、耐食性、耐久性に富むものであれば、ワイヤ部材に限らず、プラスティックを成型したものでも良い。
【００３２】
また、上述した脚１１ａ〜１１ｄの先端に設けられた滑り止めは、ゴムなど床面に対し摩擦係数の高い材質を用いると良い。なお、滑り止めは、吸水性を有さない部材であることが望ましい。
【００３３】
続いて、図３を用いて、収納ラック１の使用例について説明する。図３は、収納ラック１が、浴室において使用される例を示す図である。近年、浴室であって、洗濯物の乾燥室としての機能を兼ね備えた浴室がある。このような浴室内には、洗濯物の物干し竿が設けられている。本使用例は、そのような浴室において吊り下げ部１３に吊り下げられて使用される収納ラック１である。尚、収納ラック１の構成については、図１〜図２の説明と重複するので省略する。
【００３４】
本使用例では、収納ラック１の収納部７内には、シャンプーやボデイソープなどの容器２１、２３が収納されている。また、サイドフック９には、スポンジなどの洗浄用具２５が吊り下げられている。
【００３５】
本使用例によれば、収納ラック１は、吊り下げ部材３ａ、３ｂによって、浴室の吊り下げ部１３に吊り下げられる。このため、容器２１、２３や収納ラック１の収納部７の底面と浴室床面との間に、十分な空隙が形成され、通気性が良好となる。したがって、水垢や汚れの付着やカビの発生を防止することができ、浴室内や、容器２１、２３、および収納ラック１を清潔に保つことができる。また、収納ラック１は、浴室の吊り下げ部１３に吊り下げられているため、浴室内の省スペース化が達成できるとともに、収納ラック１の落下の危険がなく、安全に使用される。
【００３６】
さらに、サイドフック９には、洗浄用具２５が吊り下げられている。このように、サイドフック９を設けることで、収納部７に収納される容器２１、２３だけでなく、洗浄用具２５も収納ラック１へまとめて収納でき、洗浄用具２５や浴室内をより清潔に保つことができる。
【００３７】
続いて、図４を用いて、収納ラック１の他の使用例について説明する。図４は、収納ラック１が、浴室において床面に載置されて使用される例を示す図である。具体的には、収納部７内の容器２１、２３が使用される時、収納ラック１ごと床面に載置する例が挙げられる。
【００３８】
収納ラック１の構成および収納部７内の容器２１、２３については図１、図２、図３の説明と重複するので省略する。  
【００３９】
本使用例によれば、収納ラック１が浴室床面に載置される時、収納ラック１の吊り下げ部材３ａ、３ｂは、折り畳み部であるヒンジ部５ａ、５ｂが収納部７の外面に向けて回転されるのに連動して、収納部７の外面に接触して折り畳まれる。したがって、収納ラック１は、浴室床面にコンパクトに載置されるうえに、人が吊り下げ部材３ａ、３ｂに引っ掛かることがなく安全に使用される。さらに、吊り下げ部材３ａ、３ｂの長さ（ヒンジ部よりも上方の長さ）が、脚１１ａ〜１１ｄを含めた収納部７の高さ（ヒンジ部から収納ラックの最下部までの長さ）より短くなるように形成されているので、吊り下げ部材３ａ、３ｂが浴室床面に接触することがない。従って、収納ラック１を浴室床面に安定して載置することができる。
【００４０】
また、脚１１ａ〜１１ｄは、収納ラック１を浴室床面に載置した際に、浴室床面と収納部７とを離す効果を奏する。このため、浴室床面と収納ラック１底面とに空隙が形成される。したがって、浴室内おいて、収納ラック１や容器２１、２３に水垢や汚れが付着することなく、カビの発生を防止することができ、清潔に保つことができる。
【００４１】
さらに、脚１１ａ〜１１ｄの先端、すなわち浴室床面との設置部分には滑り止めが設けられている。このため、浴室床面での収納ラック１の転倒を防止でき、安全に使用することができる。
【００４２】
次に、第２の実施形態について説明する。図５は、第２の実施形態にかかる収納ラック３１を示す図である。なお、以下の説明において、図１〜図２で示した収納ラック１と同一の機能を奏する構成については、図１〜図２と同様の符号を付し、重複する説明を省略する。本実施形態の収納ラック３１は、浴室の吊り下げ部材１３に吊り下げられて使用する例であって、収納部７の収納面積を変更させるべく、収納部７の幅を調整可能に構成されている。なお、収納部７の幅の定義は、上述したように、収納部の平面視において、縦方向または横方向のいずれも幅方向とする。
【００４３】
以下に、収納ラック３１の収納部７の幅を調整可能に構成される例を説明する。収納部７のワイヤ部材の一部には、スライド部材３３〜３３ｈが形成されている。ワイヤ部材の一部とは、収納部７全体が摺動可能なように、摺動方向に配置される全てのワイヤ材の一部である。これらのスライド部材３３ａ〜３３ｈをストッパーとして、互いに径の異なる２種のワイヤ部材が連結されている。互いに径の異なる２種のワイヤ部材は、中空かつ内径を大きく形成したワイヤ部材と、内径を小さく形成したワイヤ部材である。これら中空かつ内径を大きく形成したワイヤ部材の中に、内径を小さく形成したワイヤ部材が摺動されることで、収納部７の幅が調節される。
【００４４】
また、収納部７側面がスライド部材３３ａ〜３３ｈによって伸縮されるのに伴い、収納部７底面もスライド部材３３ａ、３３ｃにより伸縮される。具体的には、スライド部材３３ａ、３３ｃをストッパーとして接続される径の異なる２種のワイヤ部材であって、中空かつ内径を大きく形成したワイヤ部材に、他方の内径を小さく形成したワイヤ部材を摺動させる。このとき、中空かつ内径を大きく形成したワイヤ部材に接続された収納部７底面と、他方の内径を小さく形成したワイヤ部材に接続された収納部７底面とが折り重なるようにスライドされ、収納部７底面を幅方向に摺動させる。
【００４５】
本実施形態によれば、収納ラック３１の収納部７の幅は、スライド部材３３ａ〜３３ｈによって調節可能である。このため、収納部７内に収納すべき容器が容器２１、２７、２９のように増えた場合には、スライド部材３３ａ〜３３ｈによって収納部７の幅を広げて、容器２１、２７、２９全てを収納することができる。なお、収納部７の幅の調節は、両幅方向の２方向に摺動可能としてもよく、高さ方向に摺動させてもよい。
【００４６】
また、第１の実施形態と同様に、収納ラック３１は吊り下げ部材３ａ、３ｂにより、浴室内の吊り下げ部１３に吊り下げられる。このため、容器２１、２７、２９や収納ラック３１の収納部７の底面と浴室床面との間に、十分な空隙が形成され、通気性が良好となる。したがって、水垢や汚れの付着やカビの発生を防止することができ、浴室内や、容器２１、２７、２９、および収納ラック３１を清潔に保つことができる。また、収納ラック１は、浴室の吊り下げ部１３に吊り下げられているため、浴室内の省スペース化が達成できるとともに、収納ラック１の落下の危険がなく、安全に使用される。
【００４７】
一方、図５には示していないが、収納ラック３１が、浴室床面に載置される場合には、図４で説明した第１実施形態と同様に、吊り下げ部材３ａ、３ｂが折り畳まれる。従って、浴室床面にコンパクトに載置されるとともに、浴室内で人が吊り下げ部材３ａ、３ｂに引っ掛かることがなく安全である。また、脚１１ａ〜１１ｄにより、浴室床面と収納ラック３１底面とに空隙が形成されるため、収納ラック３１や容器２１、２７、２９や浴室床面に水垢や汚れが付着することなく、カビの発生を防止することができ、清潔に保つことができる。
【００４８】
なお、本考案に係る収納ラックは、浴室での使用には限られない。例えば、図６に示すように、屋外において使用してもよい。収納ラック１は、屋外に設置された物干し竿等を利用して使用される例である。ベランダや庭などの屋外には、洗濯物の物干し竿が設けられているとともに、鉢植えが置かれている場合がある。図６は、収納ラック１が、収納部７に鉢植え１０５を収納して吊り下げ部１０３に吊り下げられて使用される例を示す図である。
【００４９】
図６の使用例について、以下に説明するが、収納ラック１の構成に関しては、図１〜図２と説明が重複するので省略する。収納ラック１は、屋外の吊り下げ部１０３に、吊り下げ部材３ａ、３ｂにより吊り下げられる。このとき、鉢植え１０５に水やりを行ったとしても、鉢植え１０５や収納ラック１の収納部７の底面と、地面との間に、十分な空隙が形成され、通気性が良好となる。このため、鉢植え１０５や収納ラック１に汚れが付着することなく、カビの発生や根腐れを防止することができる。また、ベランダや庭の省スペース化が達成できるとともに、収納ラック１の落下の危険がなく、安全に使用される。
【００５０】
さらに、屋外で使用される収納ラック１が地面に載置される場合には、図４において説明した効果と同様の効果を奏することは言うまでもない。さらには、図５において説明した第２実施形態が屋外で使用され得ることも明らかである。
【００５１】
以上、添付図を参照しながら、本考案の実施形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【００５２】
なお、上述したそれぞれの実施形態は、互いに組み合わせることが可能であることは言うまでもない。
【符号の説明】
【００５３】
１、３１………収納ラック
３ａ、３ｂ………吊り下げ部材
５ａ、５ｂ………ヒンジ部
７………収納部
９………サイドフック
１１ａ〜１１ｄ………脚
１３、１０３………吊り下げ部
２１、２３、２７、２９………容器
２５………洗浄用具
３３ａ〜３３ｈ………スライド部材
１０５………鉢植え
【図１】
0003171851.tif 000003
【図２】
0003171851.tif 000004
【図３】
0003171851.tif 000005
【図４】
0003171851.tif 000006
【図５】
0003171851.tif 000007
【図６】
0003171851.tif 000008